(57)【要約】      （修正有）【課題】特性を容易に設計することができる共振素子およびこれを含むフィルターを提供する。【解決手段】共振素子１００は、互いに対向する第１接地面と第２接地面とを有するケース１１０および前記ケース１１０内部に位置した第１導体レイヤー１１５を含む。第１導体レイヤー１１５は、前記第１接地面に接地されたメイン部１２０および前記メイン部１２０と互いに異なる幅を有する、突出部１３０を含む。フィルターは、前記共振素子１００を複数並べて構成する。【選択図】図１
2016220190.tif 000002
【特許請求の範囲】
【請求項１】
互いに対向する第１接地面と第２接地面とを有するケース；および
前記ケース内部に位置した第１導体レイヤーを含み、
前記第１導体レイヤーは、
前記第１接地面に接地されたメイン部；および
前記メイン部と互いに異なる幅を有し、前記第２接地面と離隔されて位置する突出部を含む、共振素子。
【請求項２】
前記共振素子の特性は、前記突出部の幅と突出長、および前記突出部と前記第２接地面との間の距離によって決定される、請求項１に記載の共振素子。
【請求項３】
前記第２接地面に接地され、前記第１導体レイヤーと離隔されて前記第１導体レイヤーの上部に配置される第１積層レイヤーをさらに含む、請求項１に記載の共振素子。
【請求項４】
前記第１積層レイヤーは前記メイン部および前記突出部のそれぞれと離隔された方向で重ね合わせられる領域を有する、請求項３に記載の共振素子。
【請求項５】
前記第２接地面に接地され、前記第１導体レイヤーと離隔されて前記第１導体レイヤーの下部に配置される第２積層レイヤーをさらに含む、請求項３に記載の共振素子。
【請求項６】
前記第２積層レイヤーは前記メイン部および前記突出部のそれぞれと離隔された方向で重ね合わせられる領域を有する、請求項５に記載の共振素子。
【請求項７】
前記第１接地面に接地され、前記第１導体レイヤーと同一構造を有し、前記第１導体レイヤーと前記第２積層レイヤーとの間に配置される第２導体レイヤーをさらに含み、
前記第１導体レイヤーの前記突出部と前記第２導体レイヤーの突出部とはビア(via)で連結される、請求項５に記載の共振素子。
【請求項８】
前記第２接地面に接地されず、前記第１積層レイヤーの上部に配置され、前記第１導体レイヤーの前記突出部と第１ビアを通じて連結される第３積層レイヤー；および
前記第２接地面に接地されず、前記第２積層レイヤーの下部に配置され、前記第１導体レイヤーの前記突出部と第２ビアを通じて連結される第４積層レイヤーをさらに含む、請求項５に記載の共振素子。
【請求項９】
請求項１に記載された前記共振素子を含む、帯域通過フィルター(band pass filter)。
【請求項１０】
互いに対向する第１接地面と第２接地面とを有するケース；および
前記ケース内部に位置し、互いに離隔された複数の導体レイヤーを含み、
前記導体レイヤーのそれぞれは、
前記第１接地面に接地されたメイン部；および
前記メイン部と互いに異なる幅を有し、前記第２接地面と離隔されて位置する突出部を含む、共振素子。
【発明の詳細な説明】
【技術分野】
【０００１】
本発明の概念による実施例は、共振素子に関するもので、特にメイン部と互いに異なる幅を有する突出部から構成された導体レイヤーを含む共振素子およびこれを含むフィルターに関するものである。
【背景技術】
【０００２】
通信システムには多様な種類のフィルターが適用される。フィルターは特定の周波数帯域の信号だけを通過させる機能をする装置であり、フィルターリングされる周波数帯域により低域通過フィルター(Low Pass Filter(LPF))、帯域通過フィルター(Band Pass Filter(BPF))、高域通過フィルター(High Pass Filter(HPF))、帯域阻止フィルター(Band Stop Filter(BSF))などに区分される。
【０００３】
また、フィルターは製作方法とフィルターに使用される素子によって、LCフィルター、トランスミッションライン(transmission line)フィルター、キャビティ(cavity)フィルター、誘電体共振器(Dielectric Resonator(DR))フィルター、セラミック(ceramic)フィルター、同軸(coacial)フィルター、導波管(waveguide)フィルター、SAW(Surface Acoustic Wave)フィルター等に区分されることができる。
【０００４】
フィルターに狭帯域特性と優秀な遮断特性を同時に実現させるためには、高いQ値(Q-factor)を有する共振器が要求される。この場合、共振器は主にPCB(Printed Circuit Board)、誘電体共振器または、単一ブロック(monoblock)の形態で具現される。
【先行技術文献】
【特許文献】
【０００５】
【特許文献１】韓国特許公開第１０-２０１０-００４８８６２号(２０１０.０５.１１公開)
【発明の概要】
【発明が解決しようとする課題】
【０００６】
本発明が解決しようとする技術的な課題は、メイン部と互いに異なる幅を有する突出部とから構成された導体レイヤーを含む共振素子およびこれを含むフィルターを提供することである。
【課題を解決するための手段】
【０００７】
本発明の実施例に係る共振素子は、互いに対向する第１接地面と第２接地面とを有するケースおよび前記ケース内部に位置した第１導体レイヤーを含み、前記第１導体レイヤーは、前記第１接地面に接地されたメイン部および前記メイン部と互いに異なる幅を有し、前記第２接地面と離隔されて位置する突出部を含むことができる。
【０００８】
実施例により、前記共振素子の特性は前記突出部の幅と突出長、および前記突出部と前記第２接地面と間の距離によって決定されることができる。
【０００９】
実施例により、前記第２接地面に接地され、前記第１導体レイヤーと離隔されて前記第１導体レイヤーの上部に配置される第１積層レイヤーをさらに含むことができる。
【００１０】
実施例により、前記第１積層レイヤーは前記メイン部および前記突出部のそれぞれと離隔された方向で重ね合わせられる領域を有することができる。
【００１１】
実施例により、前記第２接地面に接地され、前記第１導体レイヤーと離隔されて前記第１導体レイヤーの下部に配置される第２積層レイヤーをさらに含むことができる。
【００１２】
実施例により、前記第２積層レイヤーは前記メイン部および前記突出部のそれぞれと離隔された方向で重ね合わせられる領域を有することができる。
【００１３】
実施例により、前記第１接地面に接地され、前記第１導体レイヤーと同一構造を有し、前記第１導体レイヤーと前記第２積層レイヤーと間に配置される第２導体レイヤーをさらに含み、前記第１導体レイヤーの前記突出部と前記第２導体レイヤーの突出部とはビアで連結されることができる。
【００１４】
実施例により、前記第２接地面に接地されず、前記第１積層レイヤーの上部に配置され、前記第１導体レイヤーの前記突出部と第１ビアを通じて連結される第３積層レイヤーおよび前記第２接地面に接地されず、前記第２積層レイヤーの下部に配置され、前記第１導体レイヤーの前記突出部と第２ビアを通じて連結される第４積層レイヤーをさらに含むことができる。
【００１５】
本発明の実施例に係る帯域通過フィルター(band pass filter)は前記共振素子を含むことができる。
【００１６】
本発明の他の実施例に係る共振素子は互いに対向する第１接地面と第２接地面とを有するケースおよび前記ケース内部に位置し、互いに離隔された複数の導体レイヤーを含み、前記導体レイヤーのそれぞれは前記第１接地面に接地されたメイン部および前記メイン部と互いに異なる幅を有し、前記第２接地面と離隔されて位置する突出部を含むことができる。
【発明の効果】
【００１７】
本発明の実施例に係る装置は、メイン部と互いに異なる幅を有する突出部とから構成された導体レイヤーを含むことによって共振素子の特性設計時の敏感度を低下させることができる。
【００１８】
すなわち、突出部の幅と突出長、および前記突出部と前記第２接地面と間の距離を調節することによって共振素子の特性を容易に設計することができる。
【００１９】
本発明の詳細な説明で引用される図面をより十分に理解するために、各図面の詳細な説明が提供される。
【図面の簡単な説明】
【００２０】
【図１】本発明の一実施例に係る共振素子の斜視図。
【図２】図１に図示された共振素子の断面図。
【図３】本発明の他の実施例に係る共振素子の斜視図。
【図４】図３に図示された共振素子の断面図。
【図５】本発明のさらに他の実施例に係る共振素子の斜視図。
【図６】図５に図示された共振素子の断面図。
【図７】本発明のさらに他の実施例に係る共振素子の斜視図。
【図８】図７に図示された共振素子の断面図。
【図９】本発明のさらに他の実施例に係る共振素子の斜視図。
【図１０】図９に図示された共振素子の断面図。
【図１１】本発明のさらに他の実施例に係る共振素子の斜視図。
【図１２】図１１に図示された共振素子の平面図。
【図１３】本発明のさらに他の実施例に係る共振素子の斜視図。
【図１４】図１３に図示された共振素子の平面図。
【図１５】本発明のさらに他の実施例に係る共振素子の斜視図。
【図１６】図１５に図示された共振素子の平面図。
【図１７】本発明のさらに他の実施例に係る共振素子の斜視図。
【図１８】図１７に図示された共振素子の平面図。
【図１９】本発明のさらに他の実施例に係る共振素子の斜視図。
【図２０】図１９に図示された共振素子の平面図。
【図２１】本発明のさらに他の実施例に係る共振素子の斜視図。
【図２２】図２１に図示された共振素子の平面図。
【図２３】本発明のさらに他の実施例に係る共振素子の斜視図。
【図２４】図２３に図示された共振素子の平面図。
【発明を実施するための形態】
【００２１】
本明細書に開示されている本発明の概念による各実施例に対する特定の構造的または機能的な説明は、単に本発明の概念による実施例を説明するための目的で例示されたものに過ぎず、本発明の概念による各実施例は多様な形態で実施されることができ、本明細書に説明された各実施例に限定されない。
【００２２】
本発明の概念による各実施例は多様な変更を加えることができ、様々な形態を有することができるので、各実施例を図面に例示して本明細書において詳細に説明する。しかし、これは本発明の概念による実施例を特定の開示形態に限定するものではなく、本発明の思想および技術範囲に含まれるすべての変更、均等物、または代替物を含む。
【００２３】
第１または第２などの用語は、多様な構成要素を説明することに用いられ得るが、前記構成要素は前記用語によって限定されるものではない。前記用語は、一つの構成要素を他の構成要素から区別する目的でのみ、例えば本発明の概念による権利範囲から逸脱しない範囲内で、第１構成要素は第２構成要素と命名されることができ、同様に第２構成要素は第１構成要素にも命名されることができる。
【００２４】
ある構成要素が他の構成要素に「連結されて」いるとか、「接続されて」いると言及された時には、その他の構成要素に直接的に連結されているかまたは接続されていることもあり得るが、中間に他の構成要素が存在することもあり得ると理解されるべきである。反面、ある構成要素が他の構成要素に「直接連結されて」いるとか、「直接接続されて」いると言及された時には、中間に他の構成要素が存在しないと理解されるべきである。各構成要素間の関係を説明する他の表現、すなわち、「〜間に」と「すぐに〜間に」、または「〜に隣り合う」と「〜に直接隣り合う」なども同様に解釈されるべきである。
【００２５】
本明細書で用いられた用語は、単に特定の実施例を説明するために使用されただけであり、本発明を限定しようとする意図ではない。単数の表現は文脈上明白に他の意味を意味しない限り、複数の表現を含む。本明細書において、「含む」または「有する」などの用語は、本明細書に記載された特徴、数字、段階、動作、構成要素、部分品またはこれらを組み合わせたものが存在することを指定しようとするものであり、一つまたはそれ以上の他の特徴や数字、段階、動作、構成要素、部分品またはこれらを組み合わせたものの存在または付加の可能性をあらかじめ排除しないものと理解されるべきである。
【００２６】
特に定義しない限り、技術的または科学的な用語を含めて、ここで用いられるすべての用語は、本発明の属する技術分野で通常の知識を有した者によって一般的に理解されるものと同じ意味を現わす。一般的に使用される辞書に定義されているものと同一の用語は、関連技術の文脈上に有する意味と一致する意味を有すると解釈されるべきであり、本明細書で特に定義しない限り、理想的または過度に形式的な意味と解釈されない。
【００２７】
図１は、本発明の一実施例に係る共振素子の斜視図である。図２は、図１に図示された共振素子の断面図である。
【００２８】
図１と図２を参照すれば、共振素子１００はケース(case; １１０)とケース内部に位置した第１導体レイヤー１１５を含むことができる。
【００２９】
図１では、説明の便宜上、ケース１１０を直六面体の形状で図示したが、このような形態に限定されない。
【００３０】
ケース１１０は、互いに対向する第１接地面１１２と第２接地面１１４とを含むことができる。
【００３１】
実施例により、ケース１１０は第１接地面１１２と第２接地面１１４とを含めたすべての面が導体で構成され得る。他の実施例により、ケース１１０から第１接地面１１２と第２接地面１１４を除いた残りの面中の一部が導体で構成され得る。
【００３２】
導体からなるケース１１０は、ケース１１０の内部に形成される第１導体レイヤー１１５が外部環境から影響を受けないようにすることができる。すなわち、周辺の他の素子や回路の電流の流れなどによって発生し得る電磁気波を遮蔽し、外部環境がケース１１０内部にある第１導体レイヤー１１５の動作特性に影響を及ぼすことを防止することができる。
【００３３】
実施例により、共振素子１００の内部、すなわちケース１１０内部の空いた空間は誘電体、例えばセラミック(ceramic)で満たされることができる。
【００３４】
第１導体レイヤー１１５はメイン部(main part; １２０)と突出部(prominent part; １３０)とを含むことができる。
【００３５】
メイン部１２０の一側は第１接地面１１２に接地され、メイン部１２０の他側は突出部１３０と連結される。
【００３６】
図１では説明の便宜上、メイン部１２０と突出部１３０とを区分して図示しているが、メイン部１２０と突出部１３０とは区分されない形態で、同じ材質によって具現されることもできる。
【００３７】
突出部１３０はメイン部１２０の幅１１と互いに異なる幅１２を有し、第２接地面１１４と離隔されて位置することができる。
【００３８】
突出部１３０の幅１２はメイン部１２０の幅１１より狭く具現されるため、第２接地面１１４と第１導体レイヤー１１５と間に対向する部分も共に狭くなる。
【００３９】
したがって、第２接地面と対向する突出部１３０の形態を変形する場合、突出部１３０なしにメイン部１２０の形態を変形する場合に比べて共振素子１００の特性変化の敏感度が低下される。
【００４０】
すなわち、本発明の実施例に係る共振素子１００は、突出部１３０の幅１２と突出長d１および突出部１３０と第２接地面と間の距離d２を調節することによって、共振素子１００の特性をさらに精密に調節および設計することができる。
【００４１】
実施例により、共振素子１００の特性は、共振素子１００の中心周波数、帯域幅、および品質指数(quality factor、Q)などを含むことができる。
【００４２】
図３は、本発明の他の実施例に係る共振素子の斜視図である。図４は、図３に図示された共振素子の断面図である。
【００４３】
図３と図４を参照すれば、本発明の他の実施例に係る共振素子２００はケース２１０の内部に第１導体レイヤー２１５および第１積層レイヤー２４０を含むことができる。
【００４４】
図３の第１導体レイヤー２１５の構造は、図１の第１導体レイヤー１１５の構造と実質的に同一である。
【００４５】
第１積層レイヤー２４０は、第１導体レイヤー２１５と離隔されて第１導体レイヤー２１５の上部に配置され、第２接地面２４０に接地されることができる。
【００４６】
第１積層レイヤー２４０は、第１導体レイヤー２１５の突出部２３０およびメイン部２４０それぞれと離隔された方向、例えば垂直方向に重ね合わせられる領域を有することができる。
【００４７】
図５は、本発明のさらに他の実施例に係る共振素子の斜視図である。図６は、図５に図示された共振素子の断面図である。
【００４８】
図５と図６を参照すれば、本発明のさらに他の実施例に係る共振素子３００は、ケース３１０の内部に第１導体レイヤー３１５、第１積層レイヤー３４０、および第２積層レイヤー３５０を含むことができる。
【００４９】
図５の第１導体レイヤー３１５および第１積層レイヤー３４０のそれぞれの構造は、図３の第１導体レイヤー２１５および第１積層レイヤー２４０の構造と実質的に同一である。
【００５０】
第２積層レイヤー３５０は第１導体レイヤー３１５と離隔されて第１導体レイヤー３１５の下部に配置され、第２接地面２４０に接地されることができる。
【００５１】
第２積層レイヤー３５０は、第１導体レイヤー３１５の突出部３３０およびメイン部３４０のそれぞれと離隔された方向、例えば垂直方向に重ね合わせられる領域を有することができる。
【００５２】
図７は、本発明のさらに他の実施例に係る共振素子の斜視図である。図８は、図７に図示された共振素子の断面図である。
【００５３】
図７と図８を参照すれば、本発明のさらに他の実施例に係る共振素子４００はケース４１０の内部に第１導体レイヤー４１５-１、第２導体レイヤー４１５-２、第１積層レイヤー４４０、および第２積層レイヤー４５０を含むことができる。
【００５４】
図７の第１導体レイヤー４１５-１と第２導体レイヤー４１５-２は、図１の第１導体レイヤー１１５と同一構造を有し、第１導体レイヤー４１５-１と第２導体レイヤー４１５-２のそれぞれは第１接地面４１２に接地される。
【００５５】
また、第１導体レイヤー４１５-１の突出部４３０-１と第２導体レイヤー４１５-２の突出部４３０-２とはビア(via; ４２５)を通じて連結されることができる。
【００５６】
第１積層レイヤー４４０は、第１導体レイヤー４１５-１と離隔されて第１導体レイヤー４１５-１の上部に配置され、第２接地面４１４に接地されることができる。
【００５７】
第２積層レイヤー４５０は、第２導体レイヤー４１５-２と離隔されて第２導体レイヤー４１５-２の下部に配置され、第２接地面４１４に接地されることができる。
【００５８】
図９は、本発明のさらに他の実施例に係る共振素子の斜視図である。図１０は、図９に図示された共振素子の断面図である。
【００５９】
図９と図１０を参照すれば、本発明のさらに他の実施例に係る共振素子５００はケース５１０の内部に第１導体レイヤー５１５、第１積層レイヤー５４０、第２積層レイヤー５５０、第３積層レイヤー５６０、および第４積層レイヤー５７０を含むことができる。
【００６０】
図９の第１導体レイヤー５１５の構造は、図１の第１導体レイヤー１１５の構造と実質的に同一である。
【００６１】
第１積層レイヤー５４０は、第１導体レイヤー５１５と離隔されて第１導体レイヤー５１５の上部に配置され、第２接地面５４０に接地されることができる。
【００６２】
第１積層レイヤー５４０は、第１導体レイヤー５１５の突出部５３０と離隔された方向、例えば垂直方向に重ね合わせられる領域を有することができる。
【００６３】
第２積層レイヤー５５０は、第１導体レイヤー５１５と離隔されて第１導体レイヤー５１５の下部に配置され、第２接地面５４０に接地されることができる。
【００６４】
第２積層レイヤー５５０は、第１導体レイヤー５１５の突出部５３０と離隔された方向、例えば垂直方向に重ね合わせられる領域を有することができる。
【００６５】
第３積層レイヤー５６０は、第２接地面５４０に接地されず、第１積層レイヤー５４０と離隔されて第１積層レイヤー５４０の上部に配置されることができる。
【００６６】
第３積層レイヤー５６０は、第１導体レイヤー５１５の突出部５３０と第１ビア５２５-１を通じて連結される。
【００６７】
第４積層レイヤー５７０は、第２接地面５４０に接地されず、第２積層レイヤー５５０と離隔されて第２積層レイヤー５５０の下部に配置されることができる。
【００６８】
第４積層レイヤー５７０は、第１導体レイヤー５１５の突出部５３０と第２ビア５２５-２を通じて連結される。
【００６９】
図１１は、本発明のさらに他の実施例に係る共振素子の斜視図である。図１２は、図１１に図示された共振素子の平面図である。
【００７０】
図１１と図１２を参照すれば、共振素子６００のケース６１０に含まれた複数の導体レイヤー６１５-１〜６１５-４のそれぞれは、図１の導体レイヤー１１５と実質的に同一構造を有する。
【００７１】
複数の導体レイヤー６１５-１〜６１５-４は互いに離隔されて配置され、一側端の導体レイヤー(例えば、６１５-１)は入力レイヤー６１７を通じて第１ポートPORT１と連結され、他側端の導体レイヤー(例えば、６１５-４)は出力レイヤー６１９を通じて第２ポートPORT２と連結されることができる。
【００７２】
第１ポートPORT１と第２ポートPORT２のそれぞれは入力ポートまたは出力ポートの意味となり得る。
【００７３】
共振素子６００の特性は、複数の導体レイヤー６１５-１〜６１５-４のそれぞれの突出部の形態の他に、複数の導体レイヤー６１５-１〜６１５-４相互間に離れた間隔(d１、d２、d３)によってもさらに調節されることができる。
【００７４】
したがって、共振素子６００は、複数の導体レイヤー６１５-１〜６１５-４を含むことによって、広帯域フィルターの設計がさらに容易になる長所がある。
【００７５】
図１３は、本発明のさらに他の実施例に係る共振素子の斜視図である。図１４は、図１３に図示された共振素子の平面図である。
【００７６】
図１３と図１４を参照すれば、共振素子７００のケース７１０に含まれた複数の導体レイヤー７１５-１〜７１５-４のそれぞれは、図１の導体レイヤー１１５と実質的に同一構造を有する。
【００７７】
複数の導体レイヤー７１５-１〜７１５-４は互いに離隔されて配置され、一側端の導体レイヤー(例えば、７１５-１)は第１ポートPORT１に連結された入力レイヤー７１７と離隔されて位置し、他側端の導体レイヤー(例えば、７１５-４)は第２ポートPORT２に連結された出力レイヤー７１９と離隔されて位置することができる。
【００７８】
図１５は、本発明のさらに他の実施例に係る共振素子の斜視図である。図１６は、図１５に図示された共振素子の平面図である。
【００７９】
図１５と図１６を参照すれば、共振素子８００のケース８１０に含まれた複数の導体レイヤー８１５-１〜８１５-４のそれぞれは、図１の導体レイヤー１１５と実質的に同一構造を有する。
【００８０】
導体レイヤー８１５-３と導体レイヤー８１５-４はブリッジ(bridge; ８１９-１)に連結されることができる。
【００８１】
ブリッジ８１９-１は、導体レイヤー８１５-３のメイン部と導体レイヤー８１５-４のメイン部に連結されることができる。
【００８２】
ブリッジ８１９-１は出力レイヤー８１９-２を通じて第２ポートPORT２に連結されることができる。
【００８３】
この場合、導体レイヤー８１５-４はノッチ共振器として作用することができ、これを利用して共振素子８００の通過帯域の一側の周波数選択度を高めることができる長所がある。
【００８４】
図１７は、本発明のさらに他の実施例に係る共振素子の斜視図である。図１８は、図１７に図示された共振素子の平面図である。
【００８５】
図１７と図１８を参照すれば、共振素子９００のケース９１０に含まれた複数の導体レイヤー９１５-１〜９１５-４のそれぞれは、図１の導体レイヤー１１５と実質的に同一構造を有する。
導体レイヤー９１５-３と導体レイヤー９１５-４のそれぞれは第２ポートPORT２に連結された出力レイヤー９１９と離隔するように位置することができる。
【００８６】
図１９は、本発明のさらに他の実施例に係る共振素子の斜視図である。図２０は、図１９に図示された共振素子の平面図である。
【００８７】
図１９と図２０を参照すれば、共振素子１０００のケース１０１０に含まれた複数の導体レイヤー１０１５-１〜１０１５-４のそれぞれは、図１の導体レイヤー１１５と実質的に同一構造を有する。
【００８８】
複数の導体レイヤー１０１５-１〜１０１５-４の間にはブリッジレイヤー(bridge layer; １０２１-１〜１０２１-３)が連結される。
【００８９】
これによって、複数の導体レイヤー１０１５-１〜１０１５-４間のインダクタンス値が大きくなり、共振素子１０００の帯域幅をさらに広く設計できる長所がある。
【００９０】
図２１は、本発明のさらに他の実施例に係る共振素子の斜視図である。図２２は、図２１に図示された共振素子の平面図である。
【００９１】
図２１と図２２を参照すれば、共振素子１１００のケース１１１０に含まれた複数の導体レイヤー１１１５-１〜１１１５-４のそれぞれは、図１の導体レイヤー１１５と実質的に同一構造を有する。
【００９２】
共振素子１１００は少なくとも３個の導体レイヤー(例えば、１１１５-１〜１１１５-３)と重ね合わせられる領域を有する横断レイヤー１１２１、および横断レイヤー１１２１と第１接地面１１１２とを連結する複数の短絡終端レイヤー(short-ended layer; １１２３-１、１１２３-２)を含む。
【００９３】
横断レイヤー１１２１および複数の短絡終端レイヤー１１２３-１、１１２３-２は垂直方向に導体レイヤー(例えば、１１１５-１〜１１１５-３)と離隔されることができる。
【００９４】
共振素子１１００は横断レイヤー１１２１および複数の短絡終端レイヤー１１２３-１、１１２３-２によって並列インダクタンス成分を追加させることによって、通過帯域中で高周波数側の周波数選択度を高めることができる長所がある。
【００９５】
図２３は、本発明のさらに他の実施例に係る共振素子の斜視図である。図２４は、図２３に図示された共振素子の平面図である。
【００９６】
図２３と図２４を参照すれば、共振素子１２００のケース１２１０に含まれた複数の導体レイヤー１２１５-１〜１２１５-４のそれぞれは、図１の導体レイヤー１１５と実質的に同一構造を有する。
【００９７】
共振素子１２００は少なくとも３個の導体レイヤー(例えば、１２１５-１〜１２１５-３)と重ね合わせられる領域を有する横断レイヤー１２２１、および横断レイヤー１２２１と連結された複数の開放終端レイヤー(open-ended layer; １２２３-１、１２２３-２)を含む。
【００９８】
横断レイヤー１２２１および複数の開放終端レイヤー１２２３-１、１２２３-２は垂直方向に導体レイヤー(例えば、１２１５-１〜１２１５-３)と離隔されることができる。
【００９９】
共振素子１２００は横断レイヤー１２２１および複数の開放終端レイヤー１２２３-１、１２２３-２によって並列キャパシタンス成分を追加させることによって、通過帯域中で低周波数側の周波数選択度を高めることができる長所がある。
【０１００】
実施例により、図１〜図２４の共振素子１００〜１２００は帯域通過フィルター(band pass filter)で具現されることができる。
【０１０１】
本発明は、図面に図示された一実施例を参考として説明されたが、これは例示的なものに過ぎず、本技術分野の通常の知識を有した者であれば、これから多様な変形および均等な他の実施例が可能であることが理解できるであろう。したがって、本発明の真の技術的保護範囲は添付された登録請求範囲の技術的思想によって定められるべきである。
【符号の説明】
【０１０２】
１００〜１２００：共振素子
１２０〜５２０：メイン部
１３０〜５３０：突出部
１１２〜１２１２：第１接地面
１１４〜１２１４：第２接地面
【図１】
2016220190.tif 000003
【図２】
2016220190.tif 000004
【図３】
2016220190.tif 000005
【図４】
2016220190.tif 000006
【図５】
2016220190.tif 000007
【図６】
2016220190.tif 000008
【図７】
2016220190.tif 000009
【図８】
2016220190.tif 000010
【図９】
2016220190.tif 000011
【図１０】
2016220190.tif 000012
【図１１】
2016220190.tif 000013
【図１２】
2016220190.tif 000014
【図１３】
2016220190.tif 000015
【図１４】
2016220190.tif 000016
【図１５】
2016220190.tif 000017
【図１６】
2016220190.tif 000018
【図１７】
2016220190.tif 000019
【図１８】
2016220190.tif 000020
【図１９】
2016220190.tif 000021
【図２０】
2016220190.tif 000022
【図２１】
2016220190.tif 000023
【図２２】
2016220190.tif 000024
【図２３】
2016220190.tif 000025
【図２４】
2016220190.tif 000026